(57)【要約】【課題】風呂釜の中を日常的に効果的に清掃することを目的とする。【解決手段】  風呂釜の循環口に接続する循環口接続体と、この循環口接続体に流体的に連通し、シャワーからの流水を受けるシャワー接続体とから構成される風呂釜清掃具である。この風呂釜清掃具には、循環口接続体に風呂釜の循環口との係止部を設けてもよい。また、この風呂釜清掃具において、シャワー接続体に集水部を設けてもよい。さらに、この風呂釜清掃具において、循環口接続体とシャワー接続体との間に折畳部を設けてもよい。【選択図】図２
2014105884.tif 000002
【特許請求の範囲】
【請求項１】
風呂釜の循環口に接続する循環口接続体と、この循環口接続体に流体的に連通し、シャワーからの流水を受けるシャワー接続体とから構成される風呂釜清掃具。
【請求項２】
請求項１の風呂釜清掃具において、循環口接続体に、風呂釜の循環口との係止部を設けたことを特徴とする風呂釜清掃具。
【請求項３】
請求項１又は請求項２の風呂釜清掃具において、シャワー接続体に集水部を設けたことを特徴とする風呂釜清掃具。
【請求項４】
請求項１乃至請求項３の風呂釜清掃具において、循環口接続体とシャワー接続体との間に折畳部を設けたことを特徴とする風呂釜清掃具。
【発明の詳細な説明】
【技術分野】
【０００１】
この発明は、風呂釜の中の汚れを日常的に清掃する風呂釜清掃具に関する。
【背景技術】
【０００２】
従来から、風呂釜の中の清掃用の好適な道具がなく、市販の漂白剤や洗浄剤を用いていたが、十分でなかった。このため、入浴中汚れが流出したりして不快であり、雑菌が繁殖して不衛生であった。さらに、風呂釜に汚れが付着すると熱伝導効率が悪くなり燃料の浪費にもなっていた。
【先行技術文献】
【特許文献】
【０００３】
【特許文献１】実開平５-４５４９５
【特許文献２】実開平６−１５０４５
【発明の概要】
【発明が解決しようとする課題】
【０００４】
特許文献１の従来技術は、水道水の蛇口にホースの一端を繋ぎ、風呂釜の上部の循環口に他端を挿入し、注水するものであった。この方法であると、水道の蛇口に色々のタイプがあり、ホースの接続が面倒であった。また、風呂釜の上部の循環口は、整流板で覆われているため、ここから注水するのは困難であった。
【０００５】
特許文献２の従来技術も、水道の蛇口にホースを繋いで水道水を注入するものであるが、整流板の付いていない下部の循環口から注入するタイプであった。整流板が付いていない為注水は容易であったが、重力により水が逆流して風呂釜の上部に水が到達しない問題点があった。また、水道の蛇口へのホースの接続が面倒である問題は解決されていない。
【０００６】
上記の従来技術の風呂釜清掃具は、主に使用する主婦にとって操作が面倒で清掃効果が不十分であるだけでなく、使用しないときホースが長くて邪魔になるという問題点もあった。
【課題を解決するための手段】
【０００７】
風呂釜の循環口に接続する循環口接続体と、この循環口接続体に流体的に連通し、シャワーからの流水を受けるシャワー接続体とから構成される風呂釜清掃具である。ここで、流体的に連通するとは、流体が流通するよう結合していることをいう。
【発明の効果】
【０００８】
上記の問題点を解決し、風呂釜の中の清掃を簡単に行うことができ、収納にも邪魔にならない。
【図面の簡単な説明】
【０００９】
【図１】第一の実施例の風呂釜清掃具１０を示す斜視図である。Ａ，Ｂは同じものを角度を変えて見たものである。
【図２】第一の実施例の風呂釜清掃具１０の使用状態を示す斜視図である。
【図３】第二の実施例の風呂釜清掃具１０を示す斜視図である。Ａ，Ｂは同じものを角度を変えて見たものである。
【図４】第二の実施例の風呂釜清掃具１０の使用状態を示す斜視図である。
【図５】第三の実施例の風呂釜清掃具１０を示す斜視図である。Ａ，Ｂは同じものを角度を変えて見たものである。
【図６】第三の実施例の風呂釜清掃具１０の折り畳んだ状態を示す斜視図である。Ａ，Ｂは同じものを角度を変えて見たものである。
【図７】第四の実施例の風呂釜清掃具１０を示す斜視図である。Ａ，Ｂは同じものを角度を変えて見たものである。
【図８】第四の実施例の風呂釜清掃具１０のＸＸ断面を示す。
【図９】第四の実施例の風呂釜清掃具１０の折り畳んだ状態を示す斜視図である。Ａ，Ｂは同じものを角度を変えて見たものである。
【図１０】第四の実施例の風呂釜清掃具１０のＹＹ断面を示す。
【図１１】第四の実施例の風呂釜清掃具１０の循環口への装着状態を示す断面図である。
【図１２】第四の実施例の風呂釜清掃具１０の注水状態を示す断面図である。
【図１３】第五の実施例の風呂釜清掃具１０の水栓を示す斜視図である。
【図１４】第五の実施例の風呂釜清掃具１０の水栓の使用状態を示す断面図である。
【図１５】第二の実施例の風呂釜清掃具１０に、ホースを接続する状態を示す斜視図である。
【図１６】第六の実施例の風呂釜清掃具１０を示す斜視図である。
【図１７】第三の実施例の六面図である。
【図１８】第四の実施例の六面図である。
【図１９】第六の実施例の六面図である。
【図２０】第一の実施例の六面図である。
【発明を実施するための形態】
【００１０】
風呂釜の循環口に接続する循環口接続体と、この循環口接続体に流体的に連通し、シャワーからの流水を受けるシャワー接続体とから構成される風呂釜清掃具である。
【００１１】
上記の風呂釜清掃具において、循環口接続体に風呂釜の循環口との係止部を設けたことを特徴とする風呂釜清掃具である。
上記の風呂釜清掃具において、シャワー接続体に集水部を設けたことを特徴とする風呂釜清掃具である。
上記の風呂釜清掃具において、循環口接続体とシャワー接続体との間に折畳部を設けたことを特徴とする風呂釜清掃具である。
【実施例】
【００１２】
図１に示すように、この発明の第一の実施例の風呂釜清掃具１０は、循環口接続体２０と、シャワー接続体３０とが一体に構成されている。循環口接続体２０は円筒状の筒部２１を有し、筒部２１の内周には係止体２２が内方に向かって複数設けられている。循環口接続体２０の端部には開口部２３が形成されている。シャワー接続体３０も円筒状のシャワー接続体筒部３１を有し、筒部２１と連通している。シャワー接続体３０の端部には、シャワー接続体開口部３４が形成されている。
【００１３】
図２は、第一の実施例の風呂釜清掃具１０を風呂釜の循環口に装着し、シャワーヘッド８０を風呂釜清掃具１０のシャワー接続体開口部３４に当てて注水している図である。図１１でも説明するように、風呂釜の上部循環口には、通常、整流板が設けられているので、これに係止部２２を係止させて風呂釜清掃具１０を落ちないように保持することができる。係止部２２は、弾力性のある材料で、弾性変形できるよう薄く形成されている。係止部２２の内径は、整流板より少し小さく形成されおり、係止部２２が弾性変形して追従することができる。係止体２２は発泡材料で形成するとより追従し易くなる。なお、整流板が設けられていない循環口の場合は、シャワーヘッド８０で風呂釜清掃具１０を押圧しながら注水すればよい。
【００１４】
この風呂釜清掃具１０によると、日常、シャワーで浴槽を清掃するついでに、風呂釜を簡単に清掃することができる利点がある。
【００１５】
図３は、第二の実施例の風呂釜清掃具１０を示す。シャワー接続体３０のシャワー接続体開口部３４に、集水部３２を設けたものである。シャワー接続体の端部から内方の奥に向かって傾斜する逆円錐体の集水部３２を形成し、最奥には略円形の集水部開口部３３が開口している。この実施例の風呂釜清掃具１０によると、図４のように、シャワーヘッド８０が小さくても集水部３２にシャワーヘッド８０を密着させることができ、シャワーヘッド８０の大小や異形に関わらず適用し易くなる。
【００１６】
図５は、第三の実施例の風呂釜清掃具１０を示し、風呂釜清掃具１０は、軟質のプラスチック、ゴム等を使用して折り畳み可能にして、嵩張らないようにしたものである。循環口接続体２０とシャワー接続体３０の間に折畳部４０を設けたものであり、図６は折り畳んだ状態を示す。
【００１７】
図７は、第四の実施例の風呂釜清掃具１０を示し、図８は、その断面図を示す。折畳部４０を二段にしたものであり、薄肉部４１を二ヵ所と厚肉部４１をその間に設けたものである。折畳みの動きが容易となる利点がある。図９は折り畳んだ状態を示し、図１０はその断面を示す。
【００１８】
図１１は、装着状態の詳細を示す説明図である。風呂釜の上部循環口９１の整流板９２に、係止部２２が係止するよう挿入したものである。筒部２１の内径は整流板９２の外径より大きくして、水が通過するのに十分な隙間が設けてある。係止部２２の内径は、整流板９２の外径より小さくしてあり、係止部２２の弾性変形により係止可能となる。風呂釜清掃具１０は、軟質の弾性材料で成形されているので、開口部２３は浴槽壁面に多少凸凹があっても密着が可能である。
【００１９】
図１２は、注水状態を示す図である。集水部３２が奥に向かって傾斜しているので、シャワーから噴出した水はこの傾斜面に沿って奥へ奥へと送り込まれる。この為には、集水部３２と水流の入射角は４５度以下が望ましい。また、一旦、風呂釜清掃具１０の中に入った水は、集水部３２により逆流を防止することができる。従って、シャワーヘッド８０とシャワー接続体３０が密着していなくても、風呂釜清掃具１０の中に効率よく注水でき、かつ逆流し難い効果が得られる。
この為、シャワーヘッド８０のサイズや形状が異なっても弾力的に使用することができる効果も得られる。
【００２０】
図１３は第五の実施例の風呂釜清掃具１０の水栓７０を示し、風呂釜の下部循環口用の水栓７０を設けたものである。軟質のプラスチックやゴムなどの弾力性のある材料、好ましくは発泡材料で円錐台形状に形成されている。図１４の様に、水栓７０を風呂釜の下部循環口９３に挿入して、風呂釜に水を溜め、洗浄剤を挿入して洗浄剤の効きを高めることができる。また、水栓７０を外して、溜まった水を一気に流すことにより、その勢いで汚れを流し出す効果もある。
【００２１】
図１５は、第二の実施例の風呂釜清掃具１０に、シャワーヘッド８０を外して直接ホース８２を挿入している図である。集水部開口部３３にホース先端を挿入することができ、強力な水流を得ることができる。
【００２２】
図１６に第六の実施例の風呂釜清掃具１０を示す。この実施例では、集水部３２を軟質の弾力性のある材料で薄く形成して、集水部開口部３３aには、細長いスリットまたは切れ込みを入れてある。非注水時には、集水部開口部３３aは閉じた状態であるが、注水時には、水の圧力で集水部３２が押されて、集水部開口部３２aは開口し、水が注入される。一旦、風呂釜清掃具１０の中に入った水は、集水部３２が逆止弁の作用をして逆流を阻止する。従って、風呂釜の上部にまで注水しても、上部循環口９１から水が漏れ出し難くなる。
【産業上の利用可能性】
【００２３】
浴室の風呂釜の清掃用に利用可能である。
【符号の説明】
【００２４】
１０は風呂釜清掃具
２０は循環口接続体
２１は筒部
２２は係止体
２３は開口部
３０はシャワー接続体
３１はシャワー接続体筒部
３２は集水部
３３は集水部開口部
３４はシャワー接続体開口部
４０は折畳部
４１は薄肉部
４２は厚肉部
７０は水栓
８０はシャワーヘッド
８１はシャワーヘッド噴出部
９０は風呂釜の循環口
９１は風呂釜の上部循環口
９２は整流板
９３は風呂釜の下部循環口
【図１】
2014105884.tif 000003
【図２】
2014105884.tif 000004
【図３】
2014105884.tif 000005
【図４】
2014105884.tif 000006
【図５】
2014105884.tif 000007
【図６】
2014105884.tif 000008
【図７】
2014105884.tif 000009
【図８】
2014105884.tif 000010
【図９】
2014105884.tif 000011
【図１０】
2014105884.tif 000012
【図１１】
2014105884.tif 000013
【図１２】
2014105884.tif 000014
【図１３】
2014105884.tif 000015
【図１４】
2014105884.tif 000016
【図１５】
2014105884.tif 000017
【図１６】
2014105884.tif 000018
【図１７】
2014105884.tif 000019
【図１８】
2014105884.tif 000020
【図１９】
2014105884.tif 000021
【図２０】
2014105884.tif 000022